(57)【要約】【課題】美観が保たれ、かつ強度が確保されたディスプレイスタンドを提供する。【解決手段】台座（２１）を備えたディスプレイスタンド（２０）において、台座は、側壁を有する底板（３１）と、底板と対向するように側壁に囲まれた空間に配置された補強板（３２、３３、３４）と、を備えており、補強板の外周部には、底板に向かって陥没した陥没部が形成されており、補強板の陥没部と側壁の内壁面とが溶接されている。【選択図】図２
2014235288.tif 000002
【特許請求の範囲】
【請求項１】
台座を備えたディスプレイスタンドにおいて、
上記台座は、側壁を有する金属製の底板と、上記底板と対向するように上記側壁に囲まれた空間に配置された金属製の補強板と、を備えており、
上記補強板の外周部には、上記底板に向かって陥没した陥没部が形成されており、上記補強板の上記陥没部と上記側壁の内壁面とが溶接されている、
ことを特徴とするディスプレイスタンド。
【請求項２】
上記陥没部は、上記補強板の外周部に絞り加工を施すことにより形成されたものである、
ことを特徴とする請求項１に記載のディスプレイスタンド。
【請求項３】
上記陥没部は、上記補強板の角を上記底板に向かって曲げることにより形成されたものである、
ことを特徴とする請求項１に記載のディスプレイスタンド。
【請求項４】
上記陥没部は、上記補強板の辺を上記底板に向かって曲げることにより形成されたものである、
ことを特徴とする請求項１に記載のディスプレイスタンド。
【請求項５】
上記側壁は、上記底板の外周部にＬ曲げ加工を施すことにより形成されたものである、
ことを特徴とする請求項１〜４の何れか１項に記載のディスプレイスタンド。
【請求項６】
請求項１〜５の何れか１項に記載のディスプレイスタンドと、ディスプレイとを備えたディスプレイシステム。
【請求項７】
台座を備えたディスプレイスタンドの製造方法において、
側壁を有する金属製の底板と、上記底板と対向するように上記側壁に囲まれた空間に配置された金属製の補強板とを溶接することによって、上記台座を製作する溶接工程を含んでおり、
上記補強板の外周部には、上記底板に向かって陥没した陥没部が形成されており、上記溶接工程において、上記補強板の上記陥没部と上記側壁の内壁面とを溶接する、
ことを特徴とする製造方法。
【発明の詳細な説明】
【技術分野】
【０００１】
本発明は、ディスプレイを設置するためのディスプレイスタンド、特に、台座を備えたディスプレイスタンドに関する。また、そのようなディスプレイスタンドとディスプレイとを備えたディスプレイシステムに関する。また、そのようなディスプレイスタンドの製造方法に関する。
【背景技術】
【０００２】
液晶ディスプレイや有機ＥＬディスプレイなどのディスプレイを設置するために、ディスプレイスタンドが広く用いられている。棚板などの水平面（地面と平行な面）上にディスプレイを設置するためのディスプレイスタンドとしては、上記水平面上に載置される台座（以下、「スタンド台座」とも記載）と、上記台座に立脚した支柱とを備え、上記支柱にディスプレイを取り付ける形態のディスプレイスタンドが一般的である。このようなディスプレイスタンドは、ディスプレイと共にディスプレイシステムとして出荷されることもある。
【０００３】
このようなディスプレイシステムにおいては、ディスプレイ及びディスプレイスタンドの双方を美観に優れたものとすることが、市場における重要な差別化要因になっている。このため、ディスプレイにおいては、狭額縁化が求められ、ディスプレイスタンドにおいては、スタンド台座の薄型化が求められている。
【０００４】
しかしながら、スタンド台座の薄型化を進めると、ディスプレイを支持するために必要な強度を確保できないという問題を招来する。そこで、スタンド台座の底板に補強板を溶接することにより、ディスプレイスタンドの強度を向上させる方法が用いられている。
【０００５】
スタンド台座を構成する底板と補強板との溶接に利用可能な技術としては、例えば、特許文献１〜２に記載のものがある。
【０００６】
特許文献１には、互いに対向するように配置された２枚の鋼板製部品を溶接する溶接方法が開示されている。特許文献１に記載の溶接方法によれば、サポート器材を用いることによって、２枚の鋼板製部品を溶接する際に生じ得る溶接金属の垂れ落ちを防止することができる。
【０００７】
また、特許文献２には、容器本体の端面と、この容器本体と共に密閉型容器を構成する蓋の端面とを溶接する溶接方法が開示されている。特許文献２に記載の溶接方法によれば、容器本体および蓋の端面を特殊な形状に加工することによって、溶接箇所の表面を滑らかにすることができる。
【先行技術文献】
【特許文献】
【０００８】
【特許文献１】特開平５−３８５７２号公報（１９９３年２月１９日公開）
【特許文献２】特開２００８−２２３７１６号公報（２００８年９月２５日）
【発明の概要】
【発明が解決しようとする課題】
【０００９】
しかしながら、特許文献１に記載の溶接方法を用いてスタンド台座を構成する底板と補強板とを溶接する場合、底板または補強板の表面に、瘤状に隆起した溶接痕が形成される。このため、底板と補強板とからなる構造体そのものをスタンド台座として用いる場合、この溶接痕によってスタンド台座の美観が損なわれるという問題を生じる。また、底板と補強板とからなる構造体を樹脂製のカバーで覆ったものをスタンド台座として用いる場合、この溶接痕によってカバーの装着が阻害されるという問題を生じる。更に、特許文献１に記載の溶接方法には、溶接作業の難易度が高いという問題があった。これは、溶接時にサポート器材を適切な位置に配置する必要があるためである。
【００１０】
また、特許文献２に記載の溶接方法は、部材の端面同士を溶接するためのものであり、互い対向するように配置された底板と補強板との溶接には適さない。更に、特許文献２に記載の溶接方法には、溶接コストが高いという問題があった。これは、溶接しようとする部材の端面を特殊な形状に加工する必要があるためである。
【００１１】
本発明は上記問題に鑑みてなされたものであり、その目的は、美観が保たれ、かつ強度が確保されたディスプレイスタンドを提供することにある。
【課題を解決するための手段】
【００１２】
上記の課題を解決するために、本発明の一態様に係るディスプレイスタンドは、台座を備えたディスプレイスタンドにおいて、上記台座は、側壁を有する金属製の底板と、上記底板と対向するように上記側壁に囲まれた空間に配置された金属製の補強板と、を備えており、上記補強板の外周部には、上記底板に向かって陥没した陥没部が形成されており、上記補強板の上記陥没部と上記側壁の内壁面とが溶接されている、ことを特徴とする。
【００１３】
また、上記の課題を解決するために、本発明の一態様に係る製造方法は、台座を備えたディスプレイスタンドの製造方法において、側壁を有する金属製の底板と、上記底板と対向するように上記側壁に囲まれた空間に配置された金属製の補強板とを溶接することによって、上記台座を製作する溶接工程を含んでおり、上記補強板の外周部には、上記底板に向かって陥没した陥没部が形成されており、上記溶接工程において、上記補強板の上記陥没部と上記側壁の内壁面とを溶接する、ことを特徴とする。
【発明の効果】
【００１４】
上記の構成によれば、上記補強板の陥没部と上記側壁の内壁面とが溶接される。したがって、溶接時に溶融した溶接金属（補強板を構成する金属、側壁を構成する金属、及び、溶加材を構成する金属の少なくとも何れか）は、上記補強板の陥没部と上記側壁の内壁面とにより囲まれた空間に溜まり込む。このため、溶接時に溶融した溶接金属が、上記補強板の表面に瘤状に隆起した溶接痕を形成したり、上記側壁の外壁面に溶接痕を形成したりすることはない。
【００１５】
これにより、上記底板と上記補強板とからなる構造体そのものを上記台座として用いる場合、溶接痕によって生じる美観の低下を抑えることができる。また、上記底板と上記補強板とからなる構造体を樹脂製のカバーで覆ったものを上記台座として用いる場合、カバーの装着が溶接痕によって阻害されることを回避できる。
【図面の簡単な説明】
【００１６】
【図１】本実施形態に係るディスプレイスタンドの三面図である。
【図２】本実施形態に係るディスプレイスタンドの台座の金属部分である底板の図であり、（ａ）は補強板を溶接した後の底板の図であり、（ｂ）は補強板を溶接する前の底板および補強板の図である。
【図３】（ａ）は、構造体の領域Ａ（図２（ａ）参照）の外観を示す写真であり、図３（ｂ）は、同領域Ａにおける構造体のＡ１−Ａ２断面（図２（ａ）参照）を示す断面図である。
【図４】（ａ）は、構造体の領域Ｂ（図２（ａ）参照）の外観を示す写真であり、図４（ｂ）は、同領域Ｂにおける構造体のＢ１−Ｂ２断面（図２（ａ）参照）を示す断面図である。
【図５】（ａ）は、構造体の領域Ｃ（図２（ａ）参照）の外観を示す写真であり、図５（ｂ）は、同領域Ｃにおける構造体のＣ１−Ｃ２断面（図２（ａ）参照）を示す断面図である。
【図６】（ａ）は、構造体の領域Ｄ（図２（ａ）参照）の外観を示す写真であり、図６（ｂ）は、同領域Ｄにおける構造体のＤ１−Ｄ２断面（図２（ａ）参照）を示す断面図である。
【発明を実施するための形態】
【００１７】
〔実施形態〕
本発明の一実施形態について、図面に基づいて説明すれば以下のとおりである。なお、本実施形態に係るディスプレイスタンドは、液晶ディスプレイを設置するためのものであるが、本発明はこれに限定されない。すなわち、本発明は、有機ＥＬディスプレイなど任意のディスプレイ（薄型ディスプレイであることが好ましい）を設置するためのディスプレイスタンドに適用することができる。
【００１８】
（ディスプレイスタンド２０の構造）
本実施形態に係るディスプレイスタンド２０の構造について、図１および図２を用いて説明する。
【００１９】
図１は、本実施形態に係るディスプレイスタンド２０の三面図である。
【００２０】
ディスプレイスタンド２０は、液晶ディスプレイ１０を棚板などの平面（以下「設置面」と記載）上に設置するためのものであり、図１に示すように、設置面に載置される台座２１と、台座に立脚した支柱２２と、支柱２２の上端に設けられた取り付け部２３とを備えている。液晶ディスプレイ１０の背面を取り付け部２３に固定することによって、液晶ディスプレイ１０とディスプレイスタンド２０との連結が実現される。
【００２１】
台座２１は、縦断面が弓なりに湾曲した板状の構造体であり（図１の側面図参照）、中央に開口が設けられている（図１の上面図参照）。台座２１が湾曲していることにより、台座２１の前縁と後縁とが設置面に線接触する。これにより、台座２１の安定性が担保される。また、台座２１の中央に開口が設けられていることにより、大型であっても軽量で美観に優れた台座２１が実現される。
【００２２】
台座２１を構成する４辺のうち、液晶ディスプレイ１０の表示面側に位置する辺をフロント部と呼び、液晶ディスプレイ１０の背面側に位置する辺をリア部と呼ぶ。上述した支柱２２は、その下端が台座２１のリア部の中央に取り付けられる。なお、図１の側面図から分かるように、台座２１のフロント部の厚みは、台座２１のリア部の厚みより薄くなっている。これは、ディスプレイスタンド２０を正面視するユーザに対して、台座２１の厚みを感じさせないための配慮である。
【００２３】
台座２１は、側壁を有する金属製の底板３１と、底板３１と対向するように上記側壁に囲まれた金属製の補強板３２〜３４とを溶接することによって作製された構造体３０を、樹脂製のカバーで覆ったものである。図２（ａ）は、この構造体３０を示す上面図であり、図２（ｂ）は、この構造体３０を構成する底板３１と補強板３２〜３４とを個別に示す上面図である。
【００２４】
上述したように、ディスプレイスタンド２０の台座２１は、環状の構造体であり、その骨格となる底板３１を樹脂製のカバーで覆っただけでは、液晶ディスプレイ１０を支持するために十分な強度を確保することができない。そこで、ディスプレイスタンド２０においては、底板３１に金属製の補強板３２〜３４を溶接することによって、液晶ディスプレイ１０を支持するために十分な強度を確保している。
【００２５】
（溶接部分の構造）
台座２１を構成する構造体３０に含まれる各溶接部分の構造について、図３〜図６を用いて説明する。
【００２６】
図３（ａ）は、構造体３０の領域Ａ（図２（ａ）参照）の外観を示す写真であり、図３（ｂ）は、同領域Ａにおける構造体３０のＡ１−Ａ２断面（図２（ａ）参照）を示す断面図である。
【００２７】
図３（ａ）および（ｂ）に示すように、底板３１は、外周部に側壁を有している。この側壁は、Ｌ曲げ加工を施すことにより形成されてもよい。また、補強板３３は、底板３１と対向するように底板３１の側壁に囲まれた空間に配置されており、外周部において、底板３１に向かって陥没している陥没部を有している。この陥没部は、絞り加工を施すことにより、形成されてもよい。この陥没部において、補強板３３は、底板３１の側壁の内壁面に溶接されている。したがって、溶接部Ａ３およびＡ４において、溶接時に溶融した溶接金属４１（補強板３３を構成する金属、底板３１の側壁を構成する金属、及び、溶加材を構成する金属）は、陥没部において固定されるため、底板３１の側壁の外壁面に流出しない。
【００２８】
このように、ディスプレイスタンド２０は、補強板３３の陥没部において、補強板３３を底板３１の側壁の内壁面に溶接することにより、液晶ディスプレイ１０を支持するために十分な強度を有することができ、かつ底板３１の外壁面に溶接痕が形成されないため、美観が保たれる。
【００２９】
図４（ａ）は、構造体３０の領域Ｂ（図２（ａ）参照）の外観を示す写真であり、図４（ｂ）は、同領域Ｂにおける構造体３０のＢ１−Ｂ２断面（図２（ａ）参照）を示す断面図である。
【００３０】
図４（ａ）および（ｂ）に示すように、補強板３３および補強板３４が隣接する部分においても、図３と同様、底板３１は、外周部に側壁を有している。また、補強板３３および補強板３４も、図３と同様、底板３１と対向するように底板３１の側壁に囲まれた空間に配置されており、外周部において、底板３１に向かって陥没している陥没部を有している。この陥没部において、補強板３３および補強板３４は、底板３１の側壁の内壁面に溶接されている。したがって、溶接部Ｂ３およびＢ４において、溶接時に溶融した溶接金属４１は、陥没部において固定されるため、底板３１の側壁の外壁面に流出しない。
【００３１】
このように、ディスプレイスタンド２０の構造体３０の補強板が隣接する部分においても、それぞれの補強板が外周部において底板３１に向かって陥没する陥没部を有し、この陥没部において底板３１の側壁の内壁面に溶接される。したがって、補強板が隣接する部分においても、前述した効果と同様の効果が得られる。
【００３２】
図５（ａ）は、構造体３０の領域Ｃ（図２（ａ）参照）の外観を示す写真であり、図５（ｂ）は、同領域Ｃにおける構造体３０のＣ１−Ｃ２断面（図２（ａ）参照）を示す断面図である。
【００３３】
図５（ａ）および（ｂ）に示すように、構造体３０の角部分においても、図３および図４と同様、底板３１は、外周部に側壁を有している。また、補強板３４も、図３および図４と同様、底板３１と対向するように底板３１の側壁に囲まれた空間に配置されており、外周部において、底板３１に向かって陥没している陥没部を有している。しかし、図５の陥没部は、底板３１に向かって傾斜している点において、図３および図４の陥没部とは異なる。図５の陥没部は、補強板３４を底板３１に向かって曲げることにより、形成されてもよい。そして、図３および図４と同様、補強板３４は、陥没部において、底板３１の側壁の内壁面に溶接されている。したがって、溶接部Ｃ３およびＣ４において、溶接時に溶融した溶接金属４１は、陥没部において固定されるため、底板３１の側壁の外壁面に流出しない。
【００３４】
このように、ディスプレイスタンド２０の構造体３０の角部分においては、補強板３４は底板３１に向かって傾斜する陥没部を有し、この陥没部において溶接される。したがって、角部分においても、前述した効果と同様の効果が得られる。
【００３５】
図６（ａ）は、構造体３０の領域Ｄ（図２（ａ）参照）の外観を示す写真であり、図６（ｂ）は、同領域Ｄにおける構造体３０のＤ１−Ｄ２断面（図２（ａ）参照）を示す断面図である。
【００３６】
図６（ａ）および（ｂ）に示すように、構造体３０のフロント部においても、図３〜５と同様、底板３１は、外周部に側壁を有している。また、補強板３４も、図３〜５と同様、底板３１と対向するように底板３１の側壁に囲まれた空間に配置されており、外周部において、底板３１に向かって陥没している陥没部を有している。しかし、ディスプレイスタンド２０のフロント部の外周部は、前述したように、底面から上面への厚さが他の部分に比べて薄くなっている。そのため、図６の溶接部Ｄ２の陥没部は、補強板３４の外周部の辺が底板３１に向かって曲がっており、この点において、図３〜５の陥没部とは異なる。そして、図３〜５と同様、補強板３４は、陥没部において、底板３１の側壁の内壁面に溶接されている。したがって、溶接部Ｄ２において、溶接時に溶融した溶接金属４１は、陥没部において固定されるため、底板３１の側壁の外壁面に流出しない。なお、溶接部Ｄ３については、図５において説明した溶接部Ｃ１およびＣ２と同様、底板３１に向かって傾斜している陥没部において溶接されているため、詳細な説明は省略する。
【００３７】
このように、ディスプレイスタンド２０のフロント部の外周部においては、補強板３４は、補強板３４の辺が底板３１に向かって陥没している陥没部を有し、この陥没部において溶接される。したがって、辺が陥没部となっている場合においても、前述した効果と同様の効果が得られる。
【００３８】
〔まとめ〕
本発明の態様１に係るディスプレイスタンドは、台座を備えたディスプレイスタンドにおいて、上記台座は、側壁を有する金属製の底板と、上記底板と対向するように上記側壁に囲まれた空間に配置された金属製の補強板と、を備えており、上記補強板の外周部には、上記底板に向かって陥没した陥没部が形成されており、上記補強板の上記陥没部と上記側壁の内壁面とが溶接されている。
【００３９】
上記の構成によれば、上記補強板の陥没部と上記側壁の内壁面とを溶接することによって上記台座が製作される。したがって、溶接時に溶融した溶接金属（補強板を構成する金属、側壁を構成する金属、及び、溶加材を構成する金属）が上記側壁の外壁面に流出することによる上記側壁の外壁面への溶接痕の形成を未然に防ぐことができる。
【００４０】
本発明の態様２に係るディスプレイスタンドにおいて、上記態様１における上記陥没部は、上記補強板の外周部に絞り加工を施すことにより形成されたものであってもよい。
【００４１】
上記の構成によれば、容易に陥没部が形成された補強板を製造できる。
【００４２】
本発明の態様３に係るディスプレイスタンドにおいて、上記態様１における上記陥没部は、上記補強板の角を上記底板に向かって曲げることにより形成されたものであってもよい。
【００４３】
上記の構成によれば、角の部分であっても、容易に陥没部が形成された補強板を製造できる。
【００４４】
本発明の態様４に係るディスプレイスタンドにおいて、上記態様１における上記陥没部は、上記補強板の辺を上記底板に向かって曲げることにより形成されたものであってもよい。
【００４５】
上記の構成によれば、辺を曲げて陥没部とすることもできるため、容易に陥没部が形成された補強板を製造できる。
【００４６】
本発明の態様５に係るディスプレイスタンドにおいて、上記態様１〜４における上記側壁は、上記底板の外周部にＬ曲げ加工を施すことにより形成されたものであってもよい。
【００４７】
上記の構成によれば、容易に側壁を有する底板を製造できる。
【００４８】
本発明の態様６に係るディスプレイシステムは、上記態様１〜５におけるディスプレイスタンドと、ディスプレイとを備えていてもよい。
【００４９】
上記の構成によれば、上記ディスプレイシステムは、態様１と同様の効果を奏する。
【００５０】
本発明の態様７に係る製造方法は、台座を備えたディスプレイスタンドの製造方法において、側壁を有する金属製の底板と、上記底板と対向するように上記側壁に囲まれた空間に配置された金属製の補強板とを溶接することによって、上記台座を製作する溶接工程を含んでおり、上記補強板の外周部には、上記底板に向かって陥没した陥没部が形成されており、上記溶接工程において、上記補強板の上記陥没部と上記側壁の内壁面とを溶接する。
【００５１】
上記の構成によれば、上記製造方法は、態様１と同様の効果を奏する。
【００５２】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【産業上の利用可能性】
【００５３】
本発明は、液晶ディスプレイ等の薄型ディスプレイのディスプレイスタンドに利用することができる。
【符号の説明】
【００５４】
１０  液晶ディスプレイ
２０  ディスプレイスタンド
２１  台座
２２  支柱
２３  取り付け部
３０  構造体
３１  底板
３２  補強板
３３  補強板
３４  補強板
４１  溶接金属
【図１】
2014235288.tif 000003
【図２】
2014235288.tif 000004
【図３】
2014235288.tif 000005
【図４】
2014235288.tif 000006
【図５】
2014235288.tif 000007
【図６】
2014235288.tif 000008